(57)【要約】【課題】  遊技を中止しなくても、いつでも遊技媒体の貸し出しが可能で、また、不正操作行為の早期発見化や抑制化が可能な遊技機を提供する。【解決手段】  中間貯留移送手段(120)と、中間貯留数検知手段(130)と、振り分け手段(140)と、振り分け制御手段(170)と、媒体貸出制御手段(150)とを備え、振り分け制御手段(170)は、中間貯留数が予め定めた特定の最大中間貯留数未満の場合、振り分け手段(140)を、媒体投入口(18)から投入された遊技媒体を中間貯留移送手段(120)へ移送するように制御するとともに、中間貯留数が予め定めた特定の最大中間貯留数以上の場合、振り分け手段(140)を、媒体投入口(18)から投入された遊技媒体を貯留払い出し手段(65)へ移送するように制御することを特徴とする。【選択図】    図１０
2007061324.tif 000002
【特許請求の範囲】
【請求項１】
遊技媒体を投入するための媒体投入口と、
複数の図柄を変動表示又は停止表示するための図柄表示手段と、
前記図柄の組み合わせにより構成される当選役を抽選により決定するための当選抽選手段と、
前記当選抽選手段の抽選結果に対応した停止制御を前記図柄表示手段に対して行うための遊技制御手段と、
遊技媒体を貯留するとともに、遊技媒体を遊技者へ払い出す貯留払い出し手段とを備え、
遊技媒体の投入を条件として遊技が開始可能となり、前記当選抽選手段の抽選結果、所定の前記当選役に当選し、且つ遊技状況が前記当選役に応じて予め定められた図柄表示の態様になることにより入賞となるように設定された遊技機において、
前記貯留払い出し手段とは別に、前記媒体投入口から投入された遊技媒体を貯留するとともに遊技機外部又は前記貯留払い出し手段へ遊技媒体を移送可能な中間貯留移送手段と、
前記中間貯留移送手段に貯留されている遊技媒体数を中間貯留数として検知するための中間貯留数検知手段と、
前記媒体投入口から投入された遊技媒体を前記中間貯留移送手段及び前記貯留払い出し手段のいずれかに振り分ける振り分け手段と、
前記振り分け手段を制御するための振り分け制御手段と、
遊技者からの請求による遊技媒体の遊技者への貸し出しを行うために、前記中間貯留移送手段に貯留した遊技媒体を遊技機外部に移送させるように前記中間貯留移送手段を制御する媒体貸出制御手段とを備え、
前記振り分け制御手段は、
前記中間貯留数検知手段により検知された前記中間貯留数が予め定めた特定の最大中間貯留数未満の場合、前記振り分け手段を、前記媒体投入口から投入された遊技媒体を前記中間貯留移送手段へ移送するように制御するとともに、
前記中間貯留数検知手段により検知された前記中間貯留数が予め定めた特定の最大中間貯留数以上の場合、前記振り分け手段を、前記媒体投入口から投入された遊技媒体を前記貯留払い出し手段へ移送するように制御することを特徴とする遊技機。
【請求項２】
前記遊技機は、予め定めた最大クレジット数までの遊技媒体をクレジット可能に形成されているとともに、ベットスイッチの操作により、クレジットした遊技媒体を投入した遊技媒体に代えることができるように形成され、
前記中間貯留移送手段の前記最大貯留数は、前記最大クレジット数以上に設定されていることを特徴とする請求項１記載の遊技機。
【請求項３】
前記媒体貸出制御手段は、
前記中間貯留移送手段に貯留している遊技媒体数以上の貸し出し請求に対して、前記貯留払い出し手段から貸し出すように制御することを特徴とする請求項１又は請求項２記載の遊技機。
【請求項４】
前記媒体貸出制御手段は、
クレジットされているときに遊技媒体の精算を行うと、前記貯留払い出し手段から遊技媒体を払い出すことを特徴とする請求項２に記載の遊技機。
【発明の詳細な説明】
【技術分野】
【０００１】
この発明は、遊技媒体の貸し出しが可能な遊技機に関するものである。
【背景技術】
【０００２】
従来、この種の遊技機、具体的にはスロットマシンとしては、遊技開始の条件として投入された遊技媒体を貯留することができるとともに、遊技の結果、入賞した場合に予め定めた所定枚数の遊技媒体を遊技者に払い出すための貯留払い出し手段を備えている。この貯留払い出し手段は、具体的には、いわゆるホッパーユニットと呼ばれるもので、ホッパー状の上方に向かって開口して、遊技媒体としての遊技メダルを貯留するホッパー部と、そのホッパー部の下部に配置されて周囲に遊技メダルが入り込む円形孔を有する円板状の送り出し部とを備えているものが知られている（例えば、特許文献１。）。そして、この貯留払い出し手段は、回転リールの停止後、入賞した場合に、遊技メダルを遊技者に向かって払い出すためのものである。このため、本来、回転リールの停止後に、払い出しが行われるものである。仮に、回転リールの回転中に、ホッパーユニットによる払い出し処理も、同時に可能にすると、比較的、遊技者側の近い位置にある払い出し処理への不正操作を行うことで、回転リールが回転中で未だ、遊技結果が確定していない遊技へ悪影響を及ぼして遊技結果に対する不正操作を行うような不正操作行為が実行される可能性がある。このような不正操作行為防止の観点からも、回転リールの回転中等の遊技中は払い出しが行われないように動作期間が制限され、回転リールの停止後、遊技結果が最終的に判明した後に、ホッパーユニットによる払い出し処理が行われるように設定されている。
【０００３】
また、通常、スロットマシンに使用される駆動源としては、回転リールを回転させるための駆動モーターと、上述した貯留払い出し手段の送り出し部の円板を回転するための駆動モーターとがある。この駆動モーターは、スロットマシンに使用される他の電気機器等に使用される電力と比較すると、大量の電力を必要とするものである。このため、他の電子機器等への安定した電力供給を確保するために、通常、この２つの駆動モーターが同時に回転することはないように設定されている。すなわち、回転リールが回転している間は、貯留払い出し手段による払い出しは、安定した電力供給の観点からも、行われない方が望ましい。
【０００４】
一方、近年では、遊技媒体として遊技球を使用するパチンコ機において、大量の重たい遊技媒体を持って遊技ホール内で移動することを回避するために、遊技ホール内に設置したカード販売機で、磁気カードや、ＩＣカード等のプリペイドカードを購入して、購入した遊技メダルの数をそれらのカードに記録し、かかるカードを遊技機に差し込みことで、遊技媒体の貸し出しを行うことができるような、いわゆるＣＲ機と呼ばれるものがある（例えば、特許文献２。）。なお、ＣＲとは、Card Readerの略である。このようなＣＲ機と呼ばれるプリペイドカードに対応した遊技機が、パチンコ機だけではなく、スロットマシンにも検討されている。
【特許文献１】特開平１１−１１５５６８号公報
【特許文献２】特開２００５−１３１３１６号公報
【発明の開示】
【発明が解決しようとする課題】
【０００５】
しかし、上記した従来の遊技機、例えばスロットマシンにプリペイドカードを使用可能なＣＲ機にすると、従来では、起こらなかったタイミング、例えば、回転リールの回転中にも、遊技を急ぐ遊技者の希望により、ホッパーユニットから遊技メダルの貸し出し操作が行われて、ホッパーユニットによる貸し出し処理が行われ、払い出し手段の送り出し部の円板を回転させる必要性が生じる。しかし、回転リールの回転駆動と、ホッパーユニットの送り出し円板の回転駆動モーターとを同時に回転駆動させることは、上述したような不正操作防止の観点や、電力の安定供給といった観点から回避すべきである。そうなると、スロットマシンのＣＲ機において、遊技メダルを借りる場合、限られたタイミングでしか貸し出しを受けられないために、遊技を一旦中止しなければならないといった第１の問題点があった。
【０００６】
また、通常は、遊技者が投入した遊技メダルは、貯留払い出し手段としてのホッパーユニットへ投入される。この貯留払い出し手段としてのホッパーユニットが、払い出し用及び貸し出し用の遊技メダルを兼ねるようにすると、多数の遊技メダルを予め貯留する必要があり、かかる遊技者への払い出しや貸し出しには、当該遊技者が投入した遊技メダルが払い出される可能性は低い。このため、他の遊技ホールの遊技メダルや、不正に作られた遊技メダルが投入されても、セレクターさえ通過してしまえば、当該遊技者へ貸し出される遊技メダルは、予めホッパーユニットに貯留されていた当該遊技ホール用の正規の遊技メダルが貸し出されてしまう。すなわち、通常、使用が禁止されている他の遊技ホールの遊技メダルや、不正に作られた非合法的な不正遊技メダルを、遊技機に投入することにより、正規の合法的な遊技メダルに代えることが可能となり、そのような不正行為の発見が遅れて、不正行為を防止することが難しくなってしまうといった第２の問題点があった。
【０００７】
そこで、各請求項にそれぞれ記載された各発明は、上記した従来の技術の有する問題点に鑑みてなされたものであり、その目的とするところは、次の点にある。
（請求項１）  すなわち、請求項１記載の発明は、上記した従来の技術の有する第１及び第２の問題点に鑑みてなされたものであり、その目的とするところは、遊技を中止しなくても、いつでも遊技媒体の貸し出しが可能で、また、不正操作行為の早期発見化や抑制化が可能な遊技機を提供しようとするものである。
（請求項２）  請求項２記載の発明は、上記した請求項１記載の発明の目的に加え、次の点を目的とする。すなわち、請求項２記載の発明は、最大クレジット数の遊技媒体の貸し出しを、中間貯留移送手段から１回の遊技媒体の貸し出し請求により、行うことができて、便利な遊技機を提供しようとするものである。
【０００８】
（請求項３）  請求項３記載の発明は、上記した請求項１又は請求項２記載の発明の目的に加え、次の点を目的とする。すなわち、請求項３記載の発明は、中間貯留移送手段(120)に貯留している遊技媒体数以上の貸し出し請求に対しても、対応することができるようにした遊技機を提供しようとするものである。
（請求項４）  請求項４記載の発明は、上記した請求項２に記載の発明の目的に加え、次の点を目的とする。すなわち、請求項４記載の発明は、精算により、中間貯留移送手段(120)内部に貯留される遊技媒体が、払い出されて、中間貯留移送手段(120)内部が空っぽになるのを防止することができる遊技機を提供しようとするものである。
【課題を解決するための手段】
【０００９】
（請求項１）
（特徴点）  請求項１記載の発明は、次の点を特徴とする。すなわち、遊技媒体を投入するための媒体投入口(18)と、複数の図柄(61)を変動表示又は停止表示するための図柄表示手段(41)と、前記図柄(61)の組み合わせにより構成される当選役を抽選により決定するための当選抽選手段(110)と、前記当選抽選手段(110)の抽選結果に対応した停止制御を前記図柄表示手段(41)に対して行うための遊技制御手段(27)と、遊技媒体を貯留するとともに、遊技媒体を遊技者へ払い出す貯留払い出し手段(65)とを備え、遊技媒体の投入を条件として遊技が開始可能となり、前記当選抽選手段(110)の抽選結果、所定の前記当選役に当選し、且つ遊技状況が前記当選役に応じて予め定められた図柄(61)表示の態様になることにより入賞となるように設定された遊技機(10)において、前記貯留払い出し手段(65)とは別に、前記媒体投入口(18)から投入された遊技媒体を貯留するとともに遊技機(10)外部又は前記貯留払い出し手段(65)へ遊技媒体を移送可能な中間貯留移送手段(120)と、前記中間貯留移送手段(120)に貯留されている遊技媒体数を中間貯留数として検知するための中間貯留数検知手段(130)と、前記媒体投入口(18)から投入された遊技媒体を前記中間貯留移送手段(120)及び前記貯留払い出し手段(65)のいずれかに振り分ける振り分け手段(140)と、前記振り分け手段(140)を制御するための振り分け制御手段(170)と、遊技者からの請求による遊技媒体の遊技者への貸し出しを行うために、前記中間貯留移送手段(120)に貯留した遊技媒体を遊技機(10)外部に移送させるように前記中間貯留移送手段(120)を制御する媒体貸出制御手段(150)とを備え、前記振り分け制御手段(170)は、前記中間貯留数検知手段(130)により検知された前記中間貯留数が予め定めた特定の最大中間貯留数未満の場合、前記振り分け手段(140)を、前記媒体投入口(18)から投入された遊技媒体を前記中間貯留移送手段(120)へ移送するように制御するとともに、前記中間貯留数検知手段(130)により検知された前記中間貯留数が予め定めた特定の最大中間貯留数以上の場合、前記振り分け手段(140)を、前記媒体投入口(18)から投入された遊技媒体を前記貯留払い出し手段(65)へ移送するように制御することを特徴とする。
【００１０】
また、ここで、「図柄表示手段(41)」とあるのは、例えば、回転リール(40)であるが、周囲に複数の図柄を表示したものが、実際に回転するようなものに限定されるものではなく、液晶画面に表示されるようなものも含まれるものである。具体的には、例えば、パチンコ機等の遊技盤面の中央に設けた液晶装置を使用することにより、周囲に複数の図柄を表示した回転リールが回転するような画像を当該液晶装置によって遊技者に向かって表示するものも含まれる。
また、ここで、「遊技機(10)」とは、具体的には、例えば、スロットマシンであるが、上述した遊技媒体を使用するその他の遊技機を含むものである。
【００１１】
また、ここで、「遊技媒体」とは、遊技機(10)内部への投入により遊技開始の条件となり、また、入賞により所定数が遊技者へ払い出される価値物であって、具体的には、例えば、円板状の遊技メダルであるが、それに限定されるものではなく、通常のコインでもよく、また、球状のボール球でもよいものである。
また、ここで、「当選役」とは、予め定めた入賞態様の組み合わせを意味するものであって、具体的には、例えば、左、中、右の回転リール(23)の停止図柄が、それぞれ７、７、７となることにより、入賞可能となるような入賞態様の組み合わせを含むものである。
また、ここで、「遊技者からの請求による遊技媒体の遊技者への貸し出しを行う」とは、具体的には、例えば、当該遊技機(10)が、いわゆるＣＲ機であって、予め購入した所定枚数の遊技メダルの購入に相当するプリペイドカードを挿入して、貸出数請求入力手段(162)のテンキー(163)を操作することによって、貸し出し希望のメダル枚数を入力して貸し出し請求を行い、その結果として、希望する枚数の遊技メダルが遊技者へ貸し出されるようなものを含む。
【００１２】
（作用）  本発明は、中間貯留移送手段(120)の中間貯留数が最大中間貯留数未満の場合、媒体投入口(18)から投入された遊技媒体は、振り分け制御手段(170)に制御された振り分け手段(140)により、貯留移送手段(120)へ移送される。そして、中間貯留移送手段(120)の中間貯留数が最大中間貯留数以上の場合、媒体投入口(18)から投入された遊技媒体は、同様に振り分け制御手段(170)に制御された振り分け手段(140)により、貯留払い出し手段(65)へ移送される。すなわち、媒体投入口(18)から投入された遊技媒体により、先ず最初に、中間貯留移送手段(120)内部に最大中間貯留数まで貯留され、中間貯留数が最大中間貯留数に到達すると、貯留払い出し手段(65)へ貯留される。結果として、中間貯留移送手段(120)の方から、遊技媒体が貯留され、最大中間貯留枚数に到達すると、振り分け先が変更されて、貯留払い出し手段(65)へ貯留される。したがって、中間貯留移送手段(120)の内部へ、遊技媒体を、優先して貯留することができる。
【００１３】
そして、媒体貸出制御手段(150)は、遊技者からの請求による遊技媒体の遊技者への貸し出しを行うために、中間貯留移送手段(120)に貯留した遊技媒体を遊技機外部に移送させるように中間貯留移送手段(120)を制御する。すなわち、媒体貸出制御手段(150)の制御により、中間貯留移送手段(120)は、その内部に貯留した遊技媒体を遊技機外部に移送させて、遊技者からの請求による遊技媒体の遊技者への貸し出しを行う。
これにより、遊技者への遊技媒体の貸し出しには、貯留払い出し手段(65)を使用せずに、中間貯留移送手段(120)を使用して行うことができる。
そして、遊技中の図柄表示手段(41)が変動表示中であっても、また、貯留払い出し手段(65)が払い出し作動中であっても、それらの遊技中の動作に影響を受けることなく、中間貯留移送手段(120)を作動することができる。したがって、遊技媒体を借りるために遊技を一旦中止させる必要がなく、遊技者による遊技媒体の貸し出し作業を、遊技中の有無に関係なく、いつでも、自由に行うことができる。また、図柄表示手段(41)の変動表示中に、遊技媒体の貸し出しのために、貯留払い出し手段(65)を作動させる必要がないため、貯留払い出し手段(65)の使用による消費電力の影響を回避することができる。
【００１４】
また、図柄表示手段(41)の変動表示中、遊技媒体の貸し出しを行う場合、貯留払い出し手段(65)を使用せずに、中間貯留移送手段(120)で貸し出しすることができる。このため、図柄表示手段(41)及び貯留払い出し手段(65)の両方が作動中に、貯留払い出し手段(65)の作動を異物混入等で不正作動を発生させて、図柄表示手段(41)への作動に影響を及ぼさせるような不正行為の発生を抑えることができる。
本遊技機(10)は、遊技媒体を貯留しておく手段として、中間貯留移送手段(120)と、貯留払い出し手段(65)との二つを備えている。このため、中間貯留移送手段(120)には、投入された遊技媒体を貸し出し用の遊技媒体として優先的に貯留させることができる。そして、予め大量に貯留しておかなければならない遊技媒体は、貯留払い出し手段(65)の方に貯留することができる。このため、遊技者により、媒体投入口(18)から投入された遊技媒体は、中間貯留移送手段(120)に貯留されて、遊技者へ遊技媒体を貸し出す場合には、かかる中間貯留移送手段(120)の遊技媒体から、遊技者へ貸し出すことができる。これにより、他の遊技ホールの遊技媒体や、非合法的に作られた不正な遊技媒体を投入することができても、かかる遊技者が投入した遊技媒体が再び貸し出されるので、他の遊技ホールの遊技媒体や、不正な遊技媒体等の非合法な遊技媒体の発見を容易にすることができて、かかる不正行為の発生を抑制することができる。
【００１５】
（請求項２）
（特徴点）  請求項２記載の発明は、上記した請求項１記載の発明の特徴点に加え、次の点を特徴とする。すなわち、前記遊技機(10)は、予め定めた最大クレジット数までの遊技媒体をクレジット可能に形成されているとともに、ベットスイッチ(16)の操作により、クレジットした遊技媒体を投入した遊技媒体に代えることができるように形成され、前記中間貯留移送手段(120)の前記最大貯留数は、前記最大クレジット数以上に設定されていることを特徴とする。
本発明は、具体的には、最大クレジット数が５０枚の場合、中間貯留移送手段(120)の最大貯留数を、かかる最大クレジット数の５０枚以上、例えば、５０枚や、１００枚等に設定するようなものを含む。
【００１６】
（作用）  本発明は、中間貯留移送手段(120)の最大貯留数を、最大クレジット数以上に設定している。このため、中間貯留移送手段(120)に最大限度まで遊技媒体を貯留しておけば、最大クレジット数の遊技媒体の貸し出しを、中間貯留移送手段(120)から１回の遊技媒体の貸し出し請求により、行うことが可能となり、便利である。
具体的に説明すると、普通、遊技者が遊技媒体の貸し出しを行う場合は、遊技機(10)内部の遊技媒体のクレジットがなくなり、更に、手持ちの遊技媒体が無くなったときである。そして、最大クレジット数以上の遊技媒体の貸し出し請求を行っても、その遊技媒体は、遊技機内部にクレジットすることができず、遊技媒体として、手元に置いておかなければならない。したがって、通常、遊技者は、クレジットや、手元の遊技媒体が無くなったときに、クレジット可能な最大数である最大クレジット数の遊技媒体の貸し出し請求を行う。このため、貸し出し請求に使用される中間貯留移送手段(120)の最大貯留数を、最大クレジット数以上に設定してあれば、最大クレジット数の遊技媒体の貸し出しを、中間貯留移送手段(120)から１回の遊技媒体の貸し出し請求で行うことができ、遊技者の希望を満足させることができる。
【００１７】
（請求項３）
（特徴点）  請求項３記載の発明は、上記した請求項１又は請求項２記載の発明の特徴点に加え、次の点を特徴とする。すなわち、前記媒体貸出制御手段(150)は、前記中間貯留移送手段(120)に貯留している遊技媒体数以上の貸し出し請求に対して、前記貯留払い出し手段(65)から貸し出すように制御することを特徴とする。
（作用）  本発明は、中間貯留移送手段(120)に貯留している遊技媒体数以上の貸し出し請求に対しても、対応することができる。
（請求項４）
（特徴点）  請求項４記載の発明は、上記した請求項２に記載の発明の特徴点に加え、次の点を特徴とする。すなわち、前記媒体貸出制御手段(150)は、クレジットされているときに遊技媒体の精算を行うと、前記貯留払い出し手段(65)から遊技媒体を払い出すことを特徴とする。
【００１８】
（作用）  本発明は、遊技機(10)内部にクレジットされているときに遊技媒体の精算を行うと、貯留払い出し手段(65)に貯留されている遊技媒体を払い出す。このため、遊技媒体の精算により、中間貯留移送手段(120)に貯留されている遊技媒体が、精算の度に排出され、中間貯留移送手段(120)が空っぽになってしまうのを回避することができる。したがって、貯留払い出し手段(65)が空っぽになって、その都度、外部から遊技媒体を補填する必要がなく、便利である。
具体的には、遊技ホールの管理者等により、当初に中間貯留移送手段(120)に最大クレジット数以上の遊技媒体をセットしておけば、以下の（１）から（３）までの遊技媒体の循環を、繰り返し、滞りなく連続させることができる。
【００１９】
（１）遊技者が、最大クレジット数の遊技媒体の貸し出しを行う。
（２）遊技者により貸し出した遊技媒体を媒体投入口(18)へ投入して遊技が行われる。
（３）その結果、媒体投入口(18)から投入された遊技媒体が、中間貯留移送手段(120)へ貯留される。
すなわち、遊技媒体の精算が、中間貯留移送手段(120)に貯留されている遊技媒体から行われると、上述した（１）から（３）までの遊技媒体の循環が繰り返し行われることなく、途中でストップしてしまう。これを回避することができる。
【発明の効果】
【００２０】
本発明は、以上のように構成されているので、以下に記載されるような効果を奏する。
（請求項１）  請求項１記載の発明によれば、次のような効果を奏する。すなわち、請求項１記載の発明によれば、遊技を中止しなくても、いつでも遊技媒体の貸し出しが可能で、また、不正操作行為の早期発見化や抑制化が可能な遊技機を提供することができる。
（請求項２）  請求項２記載の発明によれば、上記した請求項１記載の発明の効果に加え、次のような効果を奏する。すなわち、請求項２記載の発明によれば、最大クレジット数の遊技媒体の貸し出しを、中間貯留移送手段から１回の遊技媒体の貸し出し請求により、行うことができて、便利な遊技機を提供することができる。
【００２１】
（請求項３）  請求項３記載の発明によれば、上記した請求項１又は請求項２記載の発明の効果に加え、次のような効果を奏する。すなわち、請求項３記載の発明によれば、中間貯留移送手段(120)に貯留している遊技媒体数以上の貸し出し請求に対しても、対応することができるようにした遊技機を提供することができる。
（請求項４）  請求項４記載の発明によれば、上記した請求項２に記載の発明の効果に加え、次のような効果を奏する。すなわち、請求項４記載の発明によれば、精算により、中間貯留移送手段(120)内部に貯留される遊技媒体が、払い出されて、中間貯留移送手段(120)内部が空っぽになるのを防止することができる遊技機を提供することができる。
【発明を実施するための最良の形態】
【００２２】
（図面の説明）  図１乃至図１２は、本発明の形態を示すものである。図１は遊技機の入力、制御及び出力のブロック図、図２は当選抽選手段のブロック図、図３は遊技機の外観正面図、図４は媒体投入口、媒体セレクター、中間貯留移送手段及び貯留払い出し手段の概略図、図５は中間貯留移送手段の下部の横断面図、図６は中間貯留移送手段の他の例の概略図、図７は貸し出し処理の概略のフロー、図８から図１２までは遊技機の遊技の動作の概略のフローをそれぞれ示すものである。
（遊技機10）  遊技機10は、正面に向かって開口する正面開口部を有する四角箱状の筐体11を有する。この筐体11の正面開口部の向かって左縁側には、筐体11の正面開口部を開閉自在に塞ぐ前扉14がヒンジにより軸支されている。前記前扉14の中央部から上部には、遊技者側に向かって臨む略四角窓状の表示窓12が形成されている。そして、この表示窓12の略中央には、三個の回転リール40の図柄61、いわゆる停止図柄61を見ることができる図柄表示窓13が形成されている。
【００２３】
前記回転リール40は、図３の向かって左端側に位置する左側回転リール43と、図３の向かって右端側に位置する右側回転リール45と、この左側回転リール43及び右側回転リール45の間に位置する中央回転リール44とからなるものである。そして、遊技機10の前面側には、特に図示しないが、横方向に三本、左右の対角線上の斜め方向に二本の合計五本の入賞ラインが形成されている。そして、この入賞ラインは、投入メダルの枚数に応じて入賞が有効になる入賞有効ラインとなるものである。具体的には、遊技メダルの投入枚数が、１枚の場合、五本の入賞ラインのうち、横中央の一本が入賞有効ラインとなる。そして、遊技メダルの投入枚数が、２枚の場合、五本の入賞ラインのうち、横方向の三本が入賞有効ラインとなる。そして、遊技メダルの投入枚数が、３枚の場合、対角線も含めた五本の入賞ラインの全部が、入賞有効ラインとなる。
【００２４】
遊技機10の正面中央の向かって左側には、プリペイドカードを差し込むため、正面に向かって開口するカード差し込み口160が形成されている。そして、カード差し込み口160の下方には、遊技者が貸し出し数を入力するための貸出数請求入力手段162が形成されている。この貸出数請求入力手段162は、カード差し込み口160から差し込んだプリペイドカードに記録されている遊技媒体のうちから、何枚の遊技メダルを借りるかを、入力することが可能なテンキー163と、入力した内容等を表示可能な貸出数表示部164とが形成されている。
遊技機10の内部には、図示していないが、遊技機10の全体の動作を制御するための制御装置20（図１参照）が内蔵されている。
【００２５】
なお、ここで、「前面」や「前方向」や「手前方向」とは、交換作業者（或いは遊技者）が、遊技機Sの正面側の前に遊技機Sの方に顔を向けて座って、或いは、立っているような場合のかかる交換作業者（或いは遊技者）から見た場合の奥から手前への方向を意味する。したがって、前方向や手前方向とは、遊技機Sの奥から正面へ向かう方向を意味する。
また、「背面」や「後方向」や「奥方向」とは、交換作業者（或いは遊技者）が、遊技機Sの正面側に遊技機Sの方を向いて位置しているような場合のかかる交換作業者（或いは遊技者）から見たときの手前から奥への方向を意味する。したがって、後方向とは、遊技機Sの正面から奥（後ろ）へ向かう方向を意味する。また、本明細書における「左方向」や「右方向」等の左右方向も、かかる遊技機Sの前面の方を向いて位置している者から見た場合の右方向や、左方向を意味する。
【００２６】
（制御装置20）  前記制御装置20は、図示しないが、ＣＰＵを中心に構成され、ＲＯＭ、ＲＡＭ、Ｉ／Ｏ等を備えている。そして、ＣＰＵがＲＯＭに記憶されたプログラムを読み込むことで、次の（１）遊技制御装置21及び（２）演出制御装置22の装置を有するものである。
図１に示すように、スタートスイッチ30及びストップスイッチ50の操作により、回転リール40の回転及び停止を制御するための遊技制御装置21と、ランプやスピーカー等の報知手段66を制御するための演出制御装置22とが内蔵されている。また、ＣＰＵは、遊技制御装置21及び演出制御装置22に、それぞれ一個ずつ配置されているが、特にこれに限定されるものではなく、一個のＣＰＵで制御しても良く、或いは、二個以上のＣＰＵで制御するようにしても良いものである。また、ＣＰＵ、ＲＯＭ、ＲＡＭ及びＩ／Ｏ等は一体化されてワンチップを構成しても良いものである。
【００２７】
（遊技制御装置21）  前記遊技制御装置21は、スタートスイッチ30及びストップスイッチ50の遊技者による操作により、回転リール40の回転及び停止を制御するためのものである。この遊技制御装置21は、次の手段として機能する。
（１）遊技制御手段27
（２）当選抽選手段110
（３）媒体貸出制御手段150
（４）振り分け制御手段170
また、遊技制御装置21としては、上記した手段に限定されるものではなく、他の手段を含んでいても良い。
【００２８】
（演出制御装置22）  前記演出制御装置22は、主として演出データに関するものであって、報知ランプ69やスピーカー67等の報知手段66を制御するためのものである。そして、遊技制御装置21の内部データの信頼性を担保するため、遊技制御装置21と演出制御装置22との間での信号のやりとりは、一方通行となるように設定されている。すなわち、遊技制御装置21から、演出制御装置22に向かって出力信号のみが送出され、この演出制御装置22から遊技制御装置21に向かっていかなる信号も送出されないように設定されている。これにより、当選率等の抽選に関するデータを有する遊技制御装置21のデータ保護を容易なものにすることができる。
【００２９】
そして、この演出制御装置22は、次の手段として機能する。
（１）演出データ記憶手段25
（２）演出制御手段26
また、演出制御装置22としては、上記した手段に限定されるものではなく、他の手段を含んでいても良い。
また、ここで、遊技機10は、遊技制御装置21を配置した主基板23の他に、前記演出制御装置22を配置したサブ基板24を設けているものである。このため、サブ基板24を交換することにより、演出内容の一部だけが異なる姉妹機を簡単に製造することができる。また、サブ基板24のみを容量や性能が異なる別のものに簡単に交換することができるため、演出内容だけを、例えば、静止画からなる文字表示だけ等の比較的簡単な演出内容のものから、種々の背景の中で、キャラクターが登場する等の多色、精彩な動画からなる複雑な種々の演出内容のもの等に容易に変更することができる。
【００３０】
前記制御装置20の入力側には、主として制御装置20に信号を送る入力手段が配置され、前記制御装置20の出力側には、主として制御装置20からの信号が送り込まれる出力手段が配置されている。
（入力手段）  前記制御装置20の入力側には、図１に示すように、次のパーツが接続されている。
（１）投入スイッチ15
（２）ベットスイッチ16
（３）精算スイッチ17
（４）スタートスイッチ30（変動開始操作手段31）
（５）ストップスイッチ50（変動停止操作手段51）
（６）中間貯留数検知手段130
（７）カード読み書き手段161
（８）貸出数請求入力手段162
なお、入力手段としては、上記したパーツに限定されるものではない。
【００３１】
（出力手段）  前記制御装置20の出力側には、図１に示すように、次のパーツが接続されている。
（１）リールユニット60
（２）中間貯留移送手段120
（３）貯留払い出し手段65
（４）振り分け手段140
（５）報知手段66（報知ランプ69、スピーカー67及び表示装置68）
なお、出力手段としては、上記したパーツに限定されるものではない。
【００３２】
（投入スイッチ15）  前記投入スイッチ15は、図３に示すように、回転リール40の斜め下方に位置するスイッチであって、遊技メダルの媒体投入口18から投入された遊技メダルを検知するためのものである。具体的には、媒体投入口18から投入された遊技メダルは、媒体投入口18の下部に設けた媒体セレクター210に入り込む。そして、前記投入スイッチ15は、かかる媒体セレクター210内部に設けてあるものである。
（媒体セレクター210）  前記媒体セレクター210は、媒体投入口18の下方に設けられた箱状の部材であり、図４に示すように、内部にメダル通路212が形成されている。なお、ここで、図４は媒体セレクター210の正面（前扉14の裏側から見た場合の正面）概略図である。また、媒体セレクター210の上面には、媒体投入口18から投入された遊技メダルを受け入れるためのメダル受け口213が形成されてあり、側方には、メダル通路212を通過した遊技メダルが排出されるためのメダル排出口214が設けられている。そして、メダル受け口213からメダル排出口214までの間には、ブロッカー装置215及びメダルセンサ211（いわゆる投入スイッチ15）が設けられている。更に、媒体セレクター210の側面には、メダル排出口214から排出された遊技メダルを、振り分け手段140へ移送するための移送通路250が取り付けられている。
【００３３】
前記媒体セレクター210内部のメダル通路212は、遊技メダルを誘導するための通路であり、媒体セレクター210を構成するベース部とカバー部との間隙に形成されるものである。そして、メダル通路212の上端部は、メダル受け口213となっており、上方の媒体投入口18から落下してくる遊技メダルを受け入れるようになっている。そして、メダル通路212は、上方から投入された遊技メダルを側方に誘導するように折れ曲がり、メダル排出口214に向かって下り傾斜を形成している。
前記ブロッカー装置215は、媒体セレクター210内部の遊技メダルを貯留払い出し手段65に移送させないための遊技メダルのキャンセル装置であって、特に図示しないが、ソレノイド及びブロッカーと呼ばれる突出爪を有し、通常時には、ブロッカーがメダル通路212の表面から突出することなく、遊技メダルがメダル通路212を通過できるようになっている。しかし、クレジット超過など所定時には、ソレノイドが作動して、ブロッカーをメダル通路212の表面から突出させるので、遊技メダルは、後述するメダルセンサ211に検出される前に、メダル通路212からはじかれて、媒体セレクター210の下部から落下するものである。なお、落下した遊技メダルは、前扉14の正面下部に形成された下皿メダル排出口248から排出され、下皿19に返却されるようになっている。
【００３４】
前記移送通路250は、図４に示すように、メダル排出口214から振り分け手段140までの通路を形成している。そして、移送通路250は、振り分け手段140を通過した後、中間貯留移送手段120へ案内する中間通路251と、貯留払い出し手段65へ案内するホッパー通路252との二つに連通するように形成されている。
（ベットスイッチ16）  前記ベットスイッチ16は、図３に示すように、回転リール40の下方に位置するスイッチであって、遊技者により予め投入されて遊技機内部に貯留した貯留メダル数を減じてメダル投入に代えるためのものである。前記ベットスイッチ16は、１回の操作によりクレジットした遊技メダルから３枚の遊技メダルを内部投入することが可能な３枚ベットスイッチ182と、１回の操作によりクレジットした遊技メダルから１枚の遊技メダルを内部投入することが可能な１枚ベットスイッチ181とを備えている。
【００３５】
本形態に係る遊技機10は、予め定めた最大クレジット数、具体的には、５０枚までの遊技媒体としての遊技メダルを遊技機10内部にクレジット可能に形成されている。そして、このベットスイッチ16の操作により、遊技機10内部にクレジットした遊技媒体としての遊技メダルを、遊技開始の条件としての遊技機10内部に投入した遊技媒体に代えることができるように形成されているものである。
（精算スイッチ17）  前記精算スイッチ17は、図３に示すように、回転リール40の斜め下方に位置するスイッチであって、貯留した投入メダルを払い出すためのものである。本発明に係る遊技機10は、遊技機10内部に遊技媒体がクレジットされているときに、精算スイッチ17が操作されて遊技媒体の精算を行うと、後述する媒体貸出制御手段150により、後述する中間貯留移送手段120からではなく、貯留払い出し手段65から遊技媒体を払い出すように設定されている。これは、精算行為により、中間貯留移送手段120に貯留されている遊技媒体の中間貯留数が０となるのを回避し、次に使用する遊技者が遊技メダルの貸し出しの際、中間貯留移送手段120に貯留された遊技メダルから借りることができるようにしたものである。
【００３６】
（スタートスイッチ30）  前記スタートスイッチ30は、前記図柄表示手段としての回転リール40の回転停止表示を回転変動表示へ移行させるために遊技者により変動開始操作が可能な変動開始操作手段31である。このスタートスイッチ30は、図３に示すように、回転リール40の斜め下方に位置するレバーであって、遊技メダルの投入若しくはベットスイッチ16の投入を条件に、または、「再遊技（リプレイ、Replay）」時には前遊技から所定時間経過を条件に、リールユニット60の駆動を開始させるためのものである。
なお、ここで、「再遊技（リプレイ、Replay）」とは、当選抽選手段110の抽選により、「再遊技（リプレイ、Replay）」のフラグが成立し、「再遊技（リプレイ、Replay）」の図柄が入賞有効ライン上に揃うことにより、次の遊技において、遊技メダルを新たに投入することなく、再度、遊技を行うことができるものである。
【００３７】
（ストップスイッチ50）  前記ストップスイッチ50は、前記図柄表示手段の回転変動表示を回転停止表示へ移行させるために遊技者により複数個の前記図柄表示手段を別個独立に停止操作が可能な変動停止操作手段51であって、リールユニット60の駆動モーターの回転を停止させるためのものである。具体的には、ストップスイッチ50は、図３に示すように、各回転リール40に対応した三個のスイッチから構成され、各回転リール40の下方に１個ずつ配置されているものである。遊技者が回転リール40に対応したストップスイッチ50を指で押す又は触れる等の停止操作により、当該対応した回転リール40が回転を停止するように設定されているものである。
【００３８】
（中間貯留数検知手段130）  前記中間貯留数検知手段130は、後述する中間貯留移送手段120に貯留されている遊技媒体数を中間貯留数として検知するためのものである。この中間貯留数検知手段130は、図４に示すように、後述する中間貯留移送手段120の貯留庫220に設置される貯留部センサ221である。この貯留部センサ221は、後述する中間貯留数検知手段130の貯留庫220に入る遊技媒体を検知可能な投入センサ222と、貯留庫220から出る遊技媒体を検知可能な外部排出センサ223及びホッパー排出センサ224とを備えている。この投入センサ222は、貯留庫220の上部に設けて、メダルセンサ211を通過して振り分け手段140から貯留庫220に投入される遊技媒体を検知可能なセンサである。そして、外部排出センサ223は、貯留庫220の下部に設けて、下皿19の中へ排出される遊技媒体を検知可能なセンサである。そして、ホッパー排出センサ224は、貯留庫220の下部に設けて、貯留払い出し手段65（ホッパーユニット）へ移送する遊技媒体を検知可能なセンサである。この中間貯留数検知手段130は、投入センサ222のＩＮ信号と、外部排出センサ223及びホッパー排出センサ224のＯＵＴ信号とから、後述する媒体貸出制御手段150により、貯留庫220内部の遊技メダルの枚数を把握することができるように設定されている。
【００３９】
なお、この投入センサ222、外部排出センサ223及びホッパー排出センサ224は、いずれも磁力の変化を検知する磁気センサを有する近接スイッチを使用している。もちろん、遊技メダルの通過を検知することができるものであれば、他のセンサ、例えば、光の遮断を検知する光センサや、接触式のリミットセンサを使用しても良い。
（カード読み書き手段161）  前記カード読み書き手段161は、カード差し込み口160から差し込まれたプリペイドカードの磁気記録部に記憶された購入している残りの遊技媒体数を読み取るとともに、遊技媒体が貸し出された場合、貸し出された遊技媒体を除いた残りの遊技媒体数を、遊技者が当該プリペイドカードに保有している新たな遊技媒体数として磁気記録部に書き込むためのものである。このカード読み書き手段161は、特に図示していないがテープレコーダーに使用されるような磁気ヘッドと同様の磁気ヘッド部を有している。そして、このカード読み書き手段161は、かかる磁気ヘッド部により、プリペイドカードの磁気記録部に書き込まれた情報を読み取り、或いは、新たなデータを書き込むことができるように形成されている。
【００４０】
（貸出数請求入力手段162）  前記貸出数請求入力手段162は、遊技者が、プリペイドカードをカード差し込み口160に挿入した後、遊技者の希望する遊技メダルの貸し出し数を入力するためのものである。この貸出数請求入力手段162は、前扉14の下部左側に形成されている。この貸出数請求入力手段162は、数値を入力可能なテンキー163と、このテンキー163の入力操作により貸し出し数等の数値を表示するための貸出数表示部164とを備えている。なお、この貸出数表示部164には、差し込んだプリペイドカードの現時点における遊技者が使用可能な有効な遊技メダルの枚数も、表示されるように形成されている。
（リールユニット60（モータードライバ62、駆動モーター63））  前記リールユニット60は、複数の配列された図柄を回転変動表示又は回転停止表示するための複数個の図柄表示手段41を備えているものである。この図柄表示手段41は、２１個の図柄を周囲に均等に配列した筒状の回転リール40を有している。すなわち、リールユニット60には、３個の駆動モーター63が、基体としての枠体に固定或いは支持されている。そして、各々の駆動モーター63の回転駆動軸には、三個の回転リール40の回転中心軸が固定されている。そして、各回転リール40は、合成樹脂からなる回転ドラムと、この回転ドラムの周囲に貼付されるテープ状のリールテープ42とを備えている。このリールテープ42の外周面には、複数個（２１個）の図柄61が表示されている。そして、回転リール40の一部に、突出している突出片状のいわゆるスタートインデックスが形成してある。そして、駆動モーター63による回転を開始した後、前記スタートインデックスを光センサー等により検知してからの回転角度を認識することで、現在位置を特定し、その後、所定角度で停止させることによって、停止制御が行われるものである。この光センサーは、全体形状が、略コ字状であって、一端に発光素子（ＬＥＤ）が配置され、他端に受光素子（フォトトランジスタ）が配置され、そのコ字状の内部を、突出片状のスタートインデックスが移動することにより、発光素子からの光が遮断され、スタートインデックスの位置を検知可能なものである。
【００４１】
以下、具体的に説明すると、この回転リール40の外周表面の２１個の図柄61には、各図柄61の表示位置により異なる図柄番号が付与されている。そして、この回転リール40の回転駆動軸には、回転リール40を回転駆動させるための回転駆動源である駆動モーター63としてのステッピングモーター64が固定されている。このステッピングモーター64は、リールユニット60の基体である枠体に固定されて所定の回転角度だけ回転リール40を回転させるための回転駆動力を発生するものである。このリールユニット60には、このステッピングモーター64を回転駆動させるためのモータードライバ62が形成されている。このモータードライバ62には、遊技制御装置21からの制御信号としてのパルス信号が入力されることにより、ステッピングモーター64を回転駆動させる駆動電力を供給するためのものである。
【００４２】
（中間貯留移送手段120）  前記中間貯留移送手段120は、貯留払い出し手段65とは別に、媒体投入口18から投入された遊技媒体を貯留するとともに遊技機10外部又は貯留払い出し手段65へ遊技媒体を移送可能なものである。
この中間貯留移送手段120は、振り分け手段140から振り分けられた遊技媒体としての遊技メダルを貯留するための円筒状の円筒基材234と、この円筒基材234の下面に位置して、円筒基材234の内部に貯留した遊技メダルを遊技機10外部の下皿19又は貯留払い出し手段65に移送可能なメダル送り装置230と、このメダル送り装置230に回転駆動力を付与する駆動モーター231とを備えている。そして、この中間貯留移送手段120には、上述した中間貯留数検知手段130が取り付けられている。
【００４３】
前記円筒基材234は、図４及び図５に示すように、媒体投入口18から投入された遊技媒体としての遊技メダルが媒体セレクター210及び後述する振り分け手段140を経由後、中間貯留移送手段120へ振り分けられた遊技メダルを、円筒状の内部に貯留することができるものである。この円筒基材234の底面には、後述するメダル送り装置230の上面が位置している。この円筒基材234及びメダル送り装置230により囲まれた円柱状の空間を、遊技メダルを貯留することができる貯留庫220として使用しているものである。
この貯留庫220内部に貯留することができる遊技メダルの最大枚数である最大貯留数は、１００枚に形成されている。もちろん、中間貯留移送手段120が貯留できる最大数である最大貯留数は、１００枚に限定されるものではなく、他の数でも良いものであるが、中間貯留移送手段120の最大貯留数が、当該遊技機10の最大クレジット数である５０枚以上となるような数値であれば、他の数値に設定しても良い。
【００４４】
前記メダル送り装置230は、下皿19又は貯留払い出し手段65へ遊技メダルを移送するための円板状の中間送り出し円板233と、この中間送り出し円板233の周囲を覆って、中間送り出し円板233を内装する円板包囲基材235とを備えている。
前記中間送り出し円板233は、その上面に、図５に示すように、３個のメダル孔を有している。そして、この中間送り出し円板233の中心には、後述する駆動モーター231の回転駆動軸が連結されている。
前記円板包囲基材235の円周縁には、中間送り出し円板233の内部に嵌り込んだ遊技メダルを遊技機10外部の下皿19内部へ移送するために開口する貸し出し側排出部225と、中間送り出し円板233の内部に嵌り込んだ遊技メダルを貯留払い出し手段65のホッパーユニット内部に移送するために開口するホッパー側排出部232とを形成している。そして、円板包囲基材235の上面には、中間送り出し円板233のメダル孔内部の遊技メダルを、貸し出し側排出部225又はホッパー側排出部232へ導くための案内溝（図示せず）が形成されている。そして、円板包囲基材235の下面には、ソレノイド（図示せず）によりそれぞれ上下に進退可能なピン226が形成されている。
【００４５】
前記駆動モーター231は、媒体貸出制御手段150により制御されて、所定角度だけ回転自在なステッピングモーターからなるものである。この駆動モーター231の回転駆動軸は、中間送り出し円板233の回転中心軸に連結されている。
なお、この中間貯留移送手段120の貯留庫220には、上述したように遊技メダルを１００枚程度、貯留することができる。一方、貯留払い出し手段65のホッパーユニットには、２０００枚程度の遊技メダルを貯留することができる。このため、中間送り出し円板233には、遊技メダル１００枚程度の重量しか加わらず、中間貯留移送手段120のメダル送り装置230の中間送り出し円板233を回転駆動するための駆動モーター231の電力は、遊技メダル２０００枚の重量が加わる貯留払い出し手段65の送り出し円板を回転駆動するためのモータの電力と比較しても、僅かなもので足りるものである。このため、回転リール40の回転駆動中であっても、中間貯留移送手段120の駆動モーター231を回転駆動しても電源供給が不安定となるようなことはないように設定されている。
【００４６】
前記メダル送り装置230は、貯留庫220に貯留されている遊技メダルを中間送り出し円板233のメダル孔に１枚ずつ取り込んで、駆動モーター231が中間送り出し円板233を図５の黒矢印方向に回転させることにより、円板包囲基材235の円周縁に形成されたホッパー側排出部232又は貸し出し側排出部225から遊技メダルを排出するように形成されている。ホッパー側排出部232から排出された遊技メダルは、図中Ｂの矢印に示すように、貯留払い出し手段65としてのホッパーユニットに移送される。貸し出し側排出部225から排出された遊技メダルは、図中Ａの矢印方向に移送され、前扉14の下部の下皿19へ排出される。
ここで、ホッパー側排出部232又は貸し出し側排出部225のいずれの排出部に遊技メダルを排出するかは、メダル送り装置230の底部に設けられたピン226及びストッパー227の作動により決定される。すなわち、図５に示すように、ストッパー227a、ストッパー227ｂは、それぞれ貸し出し側排出部225及びホッパー側排出部232に設けられ、ピン226a、ピン226bは、それぞれストッパー227a、ストッパー227bによりも回転の中心側に近い円板包囲基材235の上面に設けられ、ソレノイド（図示せず）を用いて円板包囲基材235の上面よりも上方に突出又は下方に没入可能に形成されている。
【００４７】
そして、図５（Ａ）に示すように、ストッパー227bが突出してホッパー側排出部232を塞いでいるときには、ストッパー227aが没入して貸し出し側排出部225が開放され、このときピン226bは没入してピン226aが突出するようになっている。この状態においては、メダル孔に入り込んで移動してきた遊技メダルは、ピン226aに当接して、貸し出し側排出部225から押し出される。一方、図５（Ｂ）に示すように、ストッパー227aが突出して貸し出し側排出部225を塞いでいるときには、ストッパー227bが没入してホッパー側排出部232が開放され、このときピン226aは没入してピン226bが突出するようになっている。この状態においては、メダル孔に入り込んで移動してきた遊技メダルは、ピン226bに当接して、ホッパー側排出部232から押し出される。駆動モーター231の作動や、ピン226及びストッパー227の出没は、後述する媒体貸出制御手段150の制御に基づいて行われる。
【００４８】
前記中間貯留数検知手段130の投入センサ222は、振り分け手段140から遊技メダルが中間貯留移送手段120に入り込む円筒基材234の上部に取り付けられている。この投入センサ222は、貯留庫220へ入り込む遊技メダルを検知することができるものである。そして、中間貯留数検知手段130の外部排出センサ223は、円板包囲基材235の貸し出し側排出部225に取り付けられ、貯留庫220から下皿19へ排出される遊技メダルを検知することができるものである。そして、中間貯留数検知手段130のホッパー排出センサ224は、円板包囲基材235のホッパー側排出部232に取り付けられ、貯留庫220から貯留払い出し手段65としてのホッパーユニットへ移送される遊技メダルを検知することができるものである。
【００４９】
（中間貯留移送手段120の他の形態）  ここで、中間貯留移送手段120は、上述した中間送り出し円板233を有するもののほかに、図６に示すような、ベルト駆動式のメダル送り装置230を備えたものとすることができる。この場合、移送通路250は、メダル排出口214から立設状態（遊技メダルの表裏面が前後方向となる向き）で排出される遊技メダルが、徐々に水平状態（遊技メダルの表裏面が上下方向となる向き）となるように、側面及び底面を湾曲させて形成する。また、貯留庫220は、遊技メダルが水平状態で積層貯留可能な筒型に形成する。また、この貯留庫220の下方に、一対のローラ228と、この一対のローラ228に掛け渡されたベルト229と、そのローラ228を回転させるための駆動モーター（図示せず）とを有するメダル送り装置230を設置する。そして、貯留庫220の下端部とベルト229の上面との間の隙間から、ベルト229の上面に接している遊技メダルをベルト229との摩擦により１枚ずつ送り出すようにするものである。そして、ローラ228の回転方向を変更して、ベルト229の移動方向を変えることにより、図中Ａの方向すなわち下皿メダル排出口248に遊技メダルを移送したり、図中Ｂの矢印方向すなわち貯留払い出し手段65としてのホッパーユニットに遊技メダルを移送したりすることができる。なお、特に図示しないが、この中間貯留移送手段120にも、中間貯留数検知手段130として、投入センサ222と、外部排出センサ223と、ホッパー排出センサ224とが適当な位置に設けられているものである。そして、ローラ228を回転させるための駆動モータの制御は、後述する媒体貸出制御手段150が行うこととなる。
【００５０】
（貯留払い出し手段65）  前記払い出し装置65は、いわゆるホッパーユニットであって、図示しないが、投入された遊技媒体を貯留することができるとともに、入賞した場合に、遊技者に向かって所定数の遊技媒体としての遊技メダルを払い出すためのものである。なお、この貯留払い出し手段65には、役２０００枚の遊技メダルが貯留可能なものである。そして、この貯留払い出し手段65にも、特に図示していないが、遊技メダルを払い出すためのメダル孔を有する回転円板（図示せず）と、この回転円板を回転駆動させるための駆動モーター（図示せず）とを備えているものである。
（振り分け手段140）  前記振り分け手段140は、媒体投入口18から投入された遊技媒体を中間貯留移送手段120及び貯留払い出し手段65のいずれかに振り分けるためのものである。具体的には、振り分け手段140は、図４に示すように、媒体セレクター210のメダル排出口214から移送通路250内へ排出された遊技メダルを、中間貯留移送手段120へ通じる中間通路251と、貯留払い出し手段65へ通じるホッパー通路252とのいずれか一方へ案内するための切り換え弁である。すなわち、振り分け手段140としての切り換え弁が、図４の実線で示すように縦方向に立設している場合、移送通路250からの遊技メダルは、中間通路251へ案内され、中間貯留移送手段120へ移送される。一方、振り分け手段140としての切り換え弁が、図４の点線で示すように横方向に傾斜している場合、移送通路250からの遊技メダルは、ホッパー通路252へ案内され、貯留払い出し手段65としてのホッパーユニットへ移送される。この振り分け手段140としての切り換え弁は、後述する振り分け制御手段170により制御され、ロータリソレノイド（図示せず）の回転駆動により回転駆動するように形成されている。
【００５１】
（報知手段66）  前記報知手段66は、遊技者に当選や入賞等を音や光や映像で報知させるためのものである。具体的には、報知手段66は、筐体11の下部に埋め込まれた左右２個のスピーカー67と、表示窓12の上部中央に配置されたドット状の大型パネルＬＥＤからなる表示装置68と、表示窓12の周囲縁に配置された５個の報知ランプ69とを備えているものである。そして、この報知手段66は、演出制御装置22の制御により、当選時や入賞時にスピーカー67から当選音や入賞音を発生させ、報知ランプ69を点灯又は点滅させることにより、また、表示装置68に図柄模様や文字列を点灯表示させることにより、遊技者に当選や入賞等を報知させるためのものである。
【００５２】
（遊技制御手段27）  前記遊技制御手段27は、遊技を行わせるためのものである。
すなわち、メダルの投入若しくはベットスイッチ16の投入を条件に、または、「再遊技（リプレイ、Replay）」時には前遊技から所定時間経過を条件に、スタートスイッチ30を操作すると、リールユニット60が駆動され、三個の回転リール40が回転を開始する。その後、ストップスイッチ50の一個を操作すると、当該対応する回転リール40の回転が停止する。そして、ストップスイッチ50を三個全て操作し終わると、三個の回転リール40の回転が全て停止する。このとき、表示窓12の入賞有効ライン上に、予め設定された図柄61が停止すると、ホッパーユニット65を介して所定枚数のメダルが払い出される。なお、メダルを払い出す代わりに、クレジットしても良い。
【００５３】
当選には、入賞した場合、遊技メダルの払い出しを伴い、遊技者に利益を付与する小役当選（この小役当選が入賞した場合は小役入賞となる）と、入賞した場合、この小役当選よりもさらに大きな利益を遊技者に付与する特別当選（この特別当選が入賞した場合は特別入賞となる）と、入賞した場合、遊技メダルの払い出しは無いが、遊技メダルを新たに投入することなく再度の遊技を行うことができる「再遊技（リプレイ、Replay）当選」（この再遊技当選が入賞した場合は再遊技入賞となる）の当選とを備えている。そして、その抽選結果がいずれかの当選となった場合（内部入賞とも言う。）、その当選に対応した当選フラグが成立する。
【００５４】
ここで、「当選フラグ」とは、当選抽選手段110の抽選結果が所定の当選役に当選の場合に、当選であることを記憶しておくためのメモリーであり、小役当選の場合には、小役当選フラグを成立させ、抽選結果が特別当選である場合には特別当選フラグを成立させるものである。そして、この特別当選の当選フラグ成立中に、リールユニット60の回転リール40の停止図柄61の組み合わせが、予め定められた所定の当選図柄61（例えば、入賞有効ライン上に「７」が三個揃うもの）と一致したことを条件に入賞し、遊技者に有利な特別遊技を行わせるように形成されている。そして、抽選により特別当選フラグが成立したが、回転リール40の停止図柄61の組み合わせが当選図柄61と一致していない場合、それ以後の遊技に当選フラグ成立の権利が持ち越されるように設定されている。なお、小役当選の当選フラグは、当選フラグが成立した遊技で入賞させられない場合、当選フラグ成立の権利の次の遊技への持ち越しはない。
【００５５】
（蹴飛ばし設定と、引き込み設定）  前記回転リール40の回転及び停止を制御する停止制御として、入賞図柄の組み合わせを遊技者がストップスイッチ50を操作して所定位置に停止させようとしても、回転リール40が回転して、かかる当選図柄が所定位置に揃わないように設定した蹴飛ばし設定と、ストップスイッチ50を操作した状態から所定の図柄数だけ回転リール40の回転上流側に位置する引き込み可能図柄の中に、当選フラグ成立中の当選図柄が含まれているような場合に、当選図柄を所定位置にまで引き込んで停止するように設定した引き込み設定とを備えている。
また、いずれかの当選フラグが成立中に、対応する当選図柄61を入賞有効ライン上に揃えることができるか否かは、回転リール40の回転速度が一定の場合、ストップスイッチ50のタイミングによるものである。具体的には、ストップスイッチ50を操作した後、１９０ｍｓ以内に回転リール40が停止するように設定されているため、ストップスイッチ50を操作した後、そのまま停止させるか、或いは１９０ｍｓ以内に停止可能な回転リール40の円周上の引き込み可能図柄61、例えば停止位置の図柄から連続する４個の引き込み可能図柄61の中（停止位置の図柄も含めて全部で５個の図柄）に、対応する当選図柄61が含まれているような場合には、停止するまでの時間を遅らせて、回転リール40は入賞有効ライン上にその当選図柄61を引き込んで停止する。一方、停止位置の図柄及びかかる４個の引き込み可能図柄61の中（全部で５個の図柄）に、対応する当選図柄61が含まれていないような場合には、入賞有効ライン上にその当選図柄61を引き込んで停止することができない。また、いずれの当選フラグも成立していない場合には、入賞図柄の入賞確定は不可能となるように設定されている。すなわち、いずれの当選フラグも成立していない場合には、蹴飛ばし設定により、入賞図柄が、所定の入賞有効ライン上に揃わないような位置に停止する、いわゆる蹴飛ばされる。
【００５６】
（当選抽選手段110）  前記当選抽選手段110は、予め定めた当選率に基づいて当選か否かの当選判定の抽選を行うものである。そして、当選抽選手段110による抽選結果が当選である場合（内部入賞とも言う。）に当選フラグが成立し、この当選フラグ成立中に、回転リール40の停止図柄の組み合わせが予め定められた当選図柄と一致したことを条件に入賞し、遊技者にメダルの払い出しや、特別遊技等の利益が付与されるように設定されている。
前記当選抽選手段110は、図２に示すように、大別すると、次の手段を備える。
（１）当選乱数発生手段111
（２）当選乱数抽出手段112
（３）当選判定テーブル記憶手段113
（４）当選判定手段114
なお、当選抽選手段110としては、上記した（１）乃至（４）に限定されるものではない。
【００５７】
（当選乱数発生手段111）  前記当選乱数発生手段111は、抽選用の乱数を所定の領域内（十進数で０乃至６５５３５）で発生させるものである。この当選乱数発生手段111は、一定範囲の数字を高速で１ずつ加算するカウンタを用いて構成するである。０乃至６５５３５の範囲の数字を、１秒間に数百万回程度順次繰り返すようにしたカウンタである。そして、「当選乱数抽出手段」としては、スタートスイッチを押したタイミングでカウンタの数字を読みとるものである。こらは、「当選乱数発生手段」では乱数を発生しているわけではないものの、「当選乱数抽出手段」によって抽出される数字は、あたかも乱数のような分布となるものである。
【００５８】
なお、ここで、「当選乱数発生手段」には、ソフト乱数としての平均採中法（ｎ桁の数字を２乗して中央のｎ桁の数を取り出すことの繰り返しによる乱数発生方法）等で乱数を発生させることができるものでも良い。このように結果として乱数のような分布を示す数字が得られる手段を、ここでは、「当選乱数発生手段」或いは「当選乱数抽出手段」に含めて考えるものである。
（当選乱数抽出手段112）  前記当選乱数抽出手段112は、当選乱数発生手段111が発生する乱数を、所定の条件（例えば、スタートスイッチ30の操作）で抽出するものである。なお、この抽出した乱数を抽出乱数データとする。
【００５９】
（当選判定テーブル記憶手段113）  前記当選判定テーブル記憶手段113は、当選乱数発生手段111がとる乱数の全領域中、各当選項目の当選領域を有するものである。この当選判定テーブル記憶手段113は、異なる抽選確率を記憶した複数のものが形成されている。具体的には、当選判定テーブル記憶手段113は、第１設定当選判定テーブルと、第２設定当選判定テーブルと、第３設定当選判定テーブルと、第４設定当選判定テーブルと、第５設定当選判定テーブルと、第６設定当選判定テーブルとを備えているものである。この第１〜６設定当選判定テーブルは、それぞれ異なる抽選確率が記録されてあり、いわゆるスロットマシンの１から６までの「設定」を決めるものであって、第１設定当選判定テーブルから第６設定当選判定テーブルまで、順に、抽選確率が高くなるように設定されている。
【００６０】
（当選判定手段114）  前記当選判定手段114は、当選乱数抽出手段112が抽出した抽出乱数データと、当選判定テーブル記憶手段113の当選率データを基に当選乱数発生手段111がとる乱数の全領域中の各当選項目の当選領域からなる当選判定領域データとを照合し、当該抽出乱数データが属する当選領域に対応する当選を決定するものである。
（媒体貸出制御手段150）  前記媒体貸出制御手段150は、遊技者からの請求による遊技媒体の遊技者への貸し出しを行うために、中間貯留移送手段120に貯留した遊技媒体を遊技機10外部に移送させるように中間貯留移送手段120を制御するためのものである。具体的には、媒体貸出制御手段150は、遊技者からの遊技媒体の貸し出し請求があった場合、先ず、中間貯留移送手段120に貯留した遊技媒体を、メダル送り装置230のピン226及びストッパー227の上げ下げにより、貸し出し側排出部225から下皿メダル排出口248を介して下皿19へ排出するものである。媒体貸出制御手段150は、中間貯留数検知手段130からの検知信号を入力して、中間貯留移送手段120の貯留庫220に貯留されている遊技メダルの枚数を算出するとともに、貸出数請求入力手段162から入力された貸し出し請求の枚数との差枚数を把握することができるような演算処理手段及びデータ記憶手段を備えている。そして、それらのデータを基に、中間貯留移送手段120の中間送り出し円板233の回転回数や、回転角度を制御可能に形成されている。そして、この媒体貸出制御手段150は、中間貯留移送手段120に貯留している遊技媒体数以上の貸し出し請求があった場合、貯留払い出し手段65に貯留している遊技メダルから貸し出すように制御するように形成されている。すなわち、媒体貸出制御手段150は、中間貯留移送手段120に遊技媒体が貯留されている場合、かかる中間貯留数よりも少ない遊技者からの貸し出し請求に対しては、貸し出し請求の全数を、この中間貯留移送手段120内に貯留されている遊技媒体から貸し出すものである。そして、遊技者による中間貯留移送手段120に貯留している中間貯留数より大きな数の遊技媒体の貸し出し請求に対しては、先ず、中間貯留移送手段120に貯留している中間貯留数の遊技媒体から、先に、貸し出し、その後、貸し出し請求数から中間貯留数を引いた残りの残数の遊技媒体を、貯留払い出し手段65から、遊技者へ貸し出すものである。
【００６１】
また、媒体貸出制御手段150は、遊技者により遊技媒体がクレジットされているときに精算スイッチ17を押下して、遊技媒体の精算を行うと、貯留払い出し手段65の方から遊技媒体を払い出すように設定してある。
（振り分け制御手段170）  前記振り分け制御手段170は、振り分け手段140を制御するためのものである。具体的には、振り分け制御手段170は、振り分け手段140としての切り換え弁を回転駆動させるロータリソレノイドの回転駆動を制御しているものである。
前記振り分け制御手段170は、中間貯留数検知手段130により検知された中間貯留数が予め定めた特定の最大中間貯留数（具体的には１００枚）未満の場合、媒体投入口18から投入された遊技媒体を中間貯留移送手段120へ移送するように、振り分け手段140を制御する。すなわち、中間貯留移送手段120の貯留庫220の貯留量が最大中間貯留数に到達していない場合、図４の実線で示すように、振り分け手段140としての切り換え弁を立設させて、移送通路250からの遊技メダルを中間通路251を介して中間貯留移送手段120へ案内する。
【００６２】
一方、振り分け制御手段170は、中間貯留数検知手段130により検知された中間貯留数が予め定めた特定の最大中間貯留数（具体的には１００枚）以上の場合、媒体投入口18から投入された遊技媒体を貯留払い出し手段65へ移送するように、振り分け手段140を制御する。すなわち、中間貯留移送手段120の貯留庫220の貯留量が最大中間貯留数に到達している場合、図４の点線で示すように、振り分け手段140としての切り換え弁を横方向に傾斜させて、移送通路250からの遊技メダルをホッパー通路252を介して貯留払い出し手段65へ案内する。なお、振り分け制御手段170は、中間貯留数等のデータは、媒体貸出制御手段150からの共通データとして保有するものである。
【００６３】
（演出データ記憶手段25）  前記演出データ記憶手段25は、報知手段66の演出データを記憶するためのものである。具体的には、例えば、ＢＢゲームの入賞時の報知手段66のスピーカー67から発生させるサウンドや、報知ランプ69の点灯、点滅の時間や順序等のデータや、表示装置68に表示される図柄模様及び文字列のデータが記憶されているものである。もちろん、記憶する演出内容は、これらに限定されるものではなく、予め記憶された音声や、振動や、他のランプの点灯等の種々の報知手段によるものでも良いものである。
（演出制御手段26）  前記演出制御手段26は、演出データ記憶手段25からの各演出データを、制御装置20等からの制御信号に基づいて、報知手段66に出力し、かかる装置を制御するためのものである。
【００６４】
具体的には、ＢＢゲームや、ＲＢゲーム等や、他の小役等の当選フラグ成立の可能性が大きいときや、所定の当選フラグ成立中に所定の入賞有効ライン上に当該当選図柄が揃うことにより入賞したときに、演出データ記憶手段25からの演出情報に基づいて、報知ランプ69の所定位置のランプを点灯や点滅させたり、スピーカー67から所定の電子音を発生させたり、表示装置68に所定の図柄模様及び文字列を点灯表示させるためのものである。
（遊技機10の動作）  次に、貸し出し処理の概略について、図７に示したフローを用いて説明する。この図７に示す遊技媒体の貸し出し処理は、図８から図１２に示す遊技の途中であっても、遊技の進展の有無に影響されることなく、貸し出し処理は独立して処理が可能に形成されている。
【００６５】
先ず、図７に示すステップ１１０において、カード差し込み口160にプリペイドカードが差し込まれているか否かが判定される。そして、プリペイドカードが差し込まれていると判定された場合、次のステップ１１１に進む。
ステップ１１１において、カード読み書き手段161により、プリペイドカードに磁気記録されている記録内容が読み込まれる。具体的には、遊技者が遊技媒体として使用可能な有効な遊技媒体数が読み込まれるものである。そして、次のステップ１１２に進む。
ステップ１１２において、カード読み書き手段161により読み込んだ記録内容から、現在、遊技者に貸し出すことができる遊技媒体の最大数が表示装置68に表示される。そして、次のステップ１１３に進む。
【００６６】
ステップ１１３において、貸出数請求入力手段162により、遊技者が希望する貸し出し数が入力されたか否かが判定される。そして、貸出数請求入力手段162により、貸し出し数が入力されていると判定された場合、次のステップ１１４に進む。
ステップ１１４において、遊技者が請求した貸し出し数は、中間貯留移送手段120に現在貯留されている中間貯留数以下であるか否かが判定される。そして、請求した貸し出し数が、中間貯留数以下でない、すなわち中間貯留数を超えていると判定された場合、次のステップ１１５に進む。
ステップ１１５において、中間貯留移送手段120により中間貯留数までの遊技メダルの貸し出しが行われる。具体的には、中間貯留移送手段120により、中間貯留数、すなわち現在、貯留庫220に貯留されている遊技メダルが、下皿メダル排出口248を介して、下皿19へ排出されて、貸し出し処理の一部が行われる。そして、次のステップ１１６に進む。
【００６７】
ステップ１１６において、媒体貸出制御手段150により、遊技者の請求する貸し出し数から中間貯留数を減算した残りを、下記のようにホッパー貸し出し数として算出する。
請求貸し出し数−中間貯留数＝ホッパー貸し出し数
そして、次のステップ１１７に進む。
ステップ１１７において、貯留払い出し手段65により、ホッパー貸し出し数に相当する枚数の遊技メダルが、下皿メダル排出口248を介して、下皿19へ排出され、残りの貸し出し処理が行われる。そして、次のステップ１１８に進む。
ステップ１１８において、当初、プリペイドカードに記録されていた有効な遊技媒体数から、貸し出し処理が行われた遊技媒体数が減算されて、残りの遊技媒体数を、有効な遊技媒体数として、磁気ヘッドにより、プリペイドカードの磁気記録部に書き込みが行われる。そして、貸し出し処理が終了する。
【００６８】
前記ステップ１１０において、プリペイドカードが差し込まれていないと判定された場合、ステップ１１０の前に戻る。
前記ステップ１１３において、貸出数請求入力手段162により、貸し出し数が入力されていないと判定された場合、ステップ１１３の前に戻る。
前記ステップ１１４において、請求した貸し出し数が、中間貯留数以下であると判定された場合、次のステップ１１９に進む。
ステップ１１９において、中間貯留移送手段120により、遊技者が請求した貸し出し数の遊技メダルが、下皿メダル排出口248を介して、下皿19へ排出され、貸し出し処理が行われる。そして、次のステップ１１８に進む。
【００６９】
次に、前記構成を備えた遊技機の動作の概略について、図８から図１２までに示したフローを用いて説明する。
先ず、図８に示すステップ２１０において、ベットスイッチ16が操作されたか否かが判定される。そして、ベットスイッチ16が操作されていないと判定された場合、次のステップ２１１に進む。
ステップ２１１において、精算スイッチ17が操作されたか否かが判定される。そして、精算スイッチ17が操作されていないと判定された場合、次のステップ２１２に進む。
ステップ２１２において、メダルセンサ211（いわゆる投入スイッチ15）は、遊技メダルを検知したか否かが判定される。そして、メダルセンサ211（いわゆる投入スイッチ15）が、遊技メダルを検知していないと判定された場合、次のステップ２１３に進む。
【００７０】
ステップ２１３において、今回の遊技において、遊技メダルの投入枚数は、１枚以上であるか否かが判定される。ここで、遊技メダルの投入枚数とは、実際に遊技メダルを媒体投入口18から投入するだけでなく、ベットスイッチ16操作によるベット投入も含めて、メダルの投入数、いわゆる投入カウンタのことを意味する。また、前回遊技でリプレイ入賞の場合は、自動的に３枚投入済みに設定される。そして、今回の遊技において、遊技メダルの投入枚数は、１枚以上であると判定された場合、次のステップ２１７に進む。
ステップ２１７において、スタートスイッチ30がＯＮ状態になったか否かが判定される。そして、スタートスイッチ30がＯＮ状態になったと判定された場合、次のステップ２１８に進む。
【００７１】
ステップ２１８において、乱数抽選による当選の有無を決定するための当選抽選処理が行われる。そして、次のステップ２１９に進む。
ステップ２１９において、回転リール40の回転が開始する。そして、次のステップ２２０に進む。
ステップ２２０において、ストップスイッチ50が操作されることにより、ストップスイッチ50がＯＮとなる。そして、次のステップ２２１に進む。
ステップ２２１において、回転リール40の回転停止処理が行われる。そして、次のステップ２２２に進む。
【００７２】
ステップ２２２において、三個の回転リール40に対応するストップスイッチ50の操作が行われたか否かが判定される。そして、三個の回転リール40に対応するストップスイッチ50の操作が行われたと判定された場合、次のステップ２２３に進む。
ステップ２２３において、当選フラグ成立中に当該当選フラグに対応する当選図柄が入賞有効ライン上に揃ったか否か、すなわち、入賞したか否かが判定される。そして、入賞したと判定された場合、次のステップ２２４に進む。
ステップ２２４において、当選図柄に相当する予め定めた特定の枚数の遊技メダルが払い出される。そして、遊技が終了する。
【００７３】
前記ステップ２１０において、ベットスイッチ16が操作されていると判定された場合、次のステップ２１４に進む。
ステップ２１４において、遊技者によるベット操作に基づいて、ベット操作処理が行われる。そして、次のステップ２１７に進む。
前記ステップ２１１において、精算スイッチ17が操作されていると判定された場合、次のステップ２１５に進む。
ステップ２１５において、貯留払い出し手段65により、貯留払い出し手段65の内部に貯留されている遊技メダルから、クレジットされている数の遊技メダルが下皿メダル排出口248を介して、下皿19へ排出される。これにより、精算処理が行われるものである。そして、当該遊技は終了する。
【００７４】
前記ステップ２１２において、メダルセンサ211（いわゆる投入スイッチ15）が、遊技メダルを検知していると判定された場合、次のステップ２１６に進む。
ステップ２１６において、遊技メダルの投入処理が行われる。そして、次のステップ２１７に進む。
前記ステップ２１３において、今回の遊技において、遊技メダルの投入枚数は、１枚以上でない、すなわち未だ遊技メダルが投入されていない、投入カウンタが０であると判定された場合、ステップ２１０に戻る。
前記ステップ２１７において、スタートスイッチ30がＯＮ状態になっていないと判定された場合、ステップ２１０に戻る。
【００７５】
前記ステップ２２２において、三個の回転リール40に対応するストップスイッチ50の操作が行われていないと判定された場合、ステップ２２０に戻る。
前記ステップ２２３において、入賞していないと判定された場合、ステップ２２４を飛び越して、遊技が終了する。
上述したステップ２１４のベット操作処理について、図９のフローを用いて説明する。
先ず、ステップ３１０において、１枚ベットスイッチ181が遊技者により操作されたか否かが判定される。そして、１枚ベットスイッチ181が操作されていると判定された場合、次のステップ３１１に進む。
【００７６】
ステップ３１１において、遊技メダルの投入枚数である投入カウンタに１を加算する。なお、既に投入カウンタが３に到達しているときは、かかる加算をせずに、投入カウンタの値は、そのまま３の設定を維持する。ここで、投入カウンタは、当該遊技における遊技開始の条件としての遊技メダルの媒体投入口18からの投入及びベット投入の両者を含めた投入枚数のカウンタである。そして、ベット操作処理が終了する。
前記ステップ３１０において、１枚ベットスイッチ181が操作されていないと判定された場合、次のステップ３１２に進む。
ステップ３１２において、３枚ベットスイッチ182が操作されているか否かが判定される。そして、３枚ベットスイッチ182が操作されていると判定された場合、次のステップ３１３に進む。
【００７７】
ステップ３１３において、投入カウンタを３に設定する。なお、投入カウンタが、０、１又は２のときは、それらの数値と３との差を投入したものとしてクレジットの数値が処理される。そして、ベット操作処理が終了する。
前記ステップ３１２において、３枚ベットスイッチ182が操作されていないと判定された場合、当該ベット操作処理が終了する。
上述したステップ２１６のメダル投入処理について、図１０のフローを用いて説明する。
ステップ４１０において、現在の中間貯留数は、最大中間貯留数（具体的には、１００枚）未満であるか否かが判定される。そして、現在の中間貯留数が、最大中間貯留数（具体的には、１００枚）未満であると判定された場合、次のステップ４１１に進む。
【００７８】
ステップ４１１において、振り分け手段140により、投入された遊技メダルを、中間貯留移送手段120へ案内する。具体的には、図４の実線で示すように、振り分け手段140としての切り換え弁を縦方向に立設させて、移送通路250からの遊技メダルを中間通路251へ案内して、投入された遊技メダルを中間貯留移送手段120へ移送させる。そして、次のステップ４１２に進む。
ステップ４１２において、投入カウンタは３未満であるか否かが判定される。そして、投入カウンタが３未満であると判定された場合、次のステップ４１３に進む。
ステップ４１３において、投入カウンタの数値に１を加算する。そして、メダル投入処理が終了する。
【００７９】
前記ステップ４１０において、現在の中間貯留数が、最大中間貯留数（具体的には、１００枚）未満でない、すなわち中間貯留数が最大中間貯留数に既に到達していると判定された場合、次のステップ４１４に進む。
ステップ４１４において、媒体投入口18から投入された遊技メダルを、振り分け手段140により、貯留払い出し手段65へ案内する。具体的には、図４の点線で示すように、振り分け手段140としての切り換え弁を横方向に傾斜させて、移送通路250からの遊技メダルをホッパー通路252へ案内して、投入された遊技メダルを貯留払い出し手段65へ移送させる。そして、次のステップ４１２に進む。
【００８０】
前記ステップ４１２において、投入カウンタが３未満でない、すなわち投入カウンタが投入カウンタの最大値である３に既に到達していると判定された場合、次のステップ４１５に進む。
ステップ４１５において、現在のクレジット数が、最大クレジット数（具体的には、５０枚）未満であるか否かが判定される。そして、現在のクレジット数が、最大クレジット数（具体的には、５０枚）未満であると判定された場合、次のステップ４１６に進む。
ステップ４１６において、投入された遊技メダルは、クレジット数に加算される。すなわち、現在のクレジット数に１が加算される。そして、当該メダル投入処理が終了する。      
【００８１】
前記ステップ４１５において、現在のクレジット数が、最大クレジット数（具体的には、５０枚）未満でない、すなわち、現在のクレジット数が最大クレジット数に到達していると判定された場合、次のステップ４１７に進む。
ステップ４１７において、投入された遊技メダルは、そのまま下皿19へ排出される。そして、当該メダル投入処理は終了する。
上述したステップ２１８の当選抽選処理について、図１１のフローを用いて説明する。
ステップ５００において、当選抽選手段110の当選乱数発生手段111により発生された乱数の中から当選乱数抽出手段112により乱数が抽出される。そして、次のステップ５０１に進む。
【００８２】
ステップ５０１において、抽出された乱数が当選乱数抽出手段112の内部に記憶される。そして、次のステップ５０２に進む。
ステップ５０２において、当選判定手段114により、抽出された乱数と、当選判定テーブル記憶手段113の当選判定領域データとの比較が行われる。そして、次のステップ５０３に進む。
ステップ５０３において、当選判定手段114により、抽出された乱数が、当選判定テーブル記憶手段113のどの当選領域に含まれるか決定され、抽選処理の評価が決定される。そして、次のステップ５０４に進む。
【００８３】
ステップ５０４において、所定の図柄の蹴飛ばしと、所定図柄の引き込みとが設定される。そして、当選抽選処理が終了する。
上述したステップ２２１の回転リール40の回転停止処理について、図１２を用いて説明する。
ステップ６００において、所定の図柄に対して、蹴飛ばしの設定が達成されたか否かが判定される。この蹴飛ばしの設定は、全ての入賞有効ライン上で、当選抽選手段110の抽選結果に基づいて不当入賞が発生しないように全ての停止操作タイミングにおいて、設定されているものである。そして、所定の図柄の蹴飛ばしの設定が達成されていないと判定された場合、次のステップ６０１に進む。
【００８４】
ステップ６０１において、１個の図柄分だけ、回転リール40を回転させる。すなわち、１個の図柄分だけ蹴飛ばしを行う。そして、次のステップ６０２に進む。
ステップ６０２において、上述した１個の図柄分だけ回転リール40を回転させた当該図柄の数がストップスイッチ50の操作後の４個目に該当するか否かが判定される。そして、ストップスイッチ50を操作した後、１図柄ずつ回転リール40を回転させてずらした図柄の数が４個目の場合には、次のステップ６０３に進む。
ステップ６０３において、回転リール40の回転を停止させる。これにより、メダル投入から回転リール40の回転停止までの遊技機10の動作が終了する。
【００８５】
前記ステップ６００において、所定の図柄の蹴飛ばしの設定が達成されていると判定された場合、次のステップ６０４に進む。
ステップ６０４において、いずれかの図柄に対して引き込みが設定されているか否かが判定される。そして、いずれかの図柄に対して引き込みが設定されていると判定された場合、次のステップ６０５に進む。
ステップ６０５において、引き込み設定が達成されたか否かが判定される。そして、引き込み設定が達成されたと判定された場合、次のステップ６０３に進む。
前記ステップ６０４において、いずれの図柄に対しても引き込みが設定されていないと判定された場合、ステップ６０３に進む。
【００８６】
前記ステップ６０５において、引き込み設定が達成されていないと判定された場合、ステップ６０１に進む。
前記ステップ６０２において、ストップスイッチ50を操作した後、１図柄ずつ回転リール40を回転させてずらした図柄の数が４個目でない場合には、ステップ６００に戻る。
なお、上述した実施の形態において、回転リール40の停止処理に関してステップ６０１乃至ステップ６０５で説明しているが、この例は、引き込み範囲図柄のうち、基準位置に近い図柄から条件を調査する、いわゆる最小引き込み停止制御の例である。逆に、引き込み範囲図柄のうち、基準位置に遠い図柄から条件を調査する、いわゆる最大引き込み停止制御としても良い。
【００８７】
更には、例えば、ストップスイッチ50を押すタイミングで予め定めたテーブルに従って回転リール40の停止位置を決定する、いわゆるテーブル停止制御の方法によるものでも良いものである。このテーブル停止制御は、当選フラグ成立の有無や、当選フラグ成立中の当選図柄に基づいた複数のテーブルを有し、この複数のテーブルから適宜、遊技状況に応じたテーブルが選択されるものである。
なお、テーブル停止制御においても、当選フラグが成立しているときには、その当選フラグに対応する図柄が入賞有効ライン上に揃うように、予めテーブルの上で停止位置が決定されてあり、いわゆる引き込み設定の一種を備えているものである。また、当選フラグが成立していないときには、他の当選図柄が入賞有効ライン上に揃わないように、予めテーブルの上で停止位置が決定されてあり、いわゆる蹴飛ばし設定の一種を備えているものである。
【００８８】
（作用）  本形態に係る遊技機10は、媒体投入口18から投入された遊技媒体により、先ず最初に、中間貯留移送手段120内部に最大中間貯留数（具体的には１００枚）まで貯留され、中間貯留数が最大中間貯留数に到達すると、貯留払い出し手段65へ貯留される。結果として、中間貯留移送手段120の方から、遊技媒体が貯留され、最大中間貯留枚数に到達すると、振り分け先が変更されて、貯留払い出し手段65へ貯留される。したがって、中間貯留移送手段120の内部へ、遊技媒体を、優先して貯留することができる。
そして、媒体貸出制御手段150の制御により、中間貯留移送手段120は、その内部に貯留した遊技媒体を遊技機外部に移送させて、遊技者からの請求による遊技媒体の遊技者への貸し出しを行う。
【００８９】
これにより、遊技者への遊技媒体の貸し出しには、原則として、貯留払い出し手段65を使用せずに、中間貯留移送手段120を使用して行うことができる。
そして、遊技中の図柄表示手段41が変動表示中であっても、また、貯留払い出し手段65が払い出し作動中であっても、それらの遊技中の動作に影響を受けることなく、中間貯留移送手段120を作動することができる。したがって、遊技媒体を借りるために遊技を一旦中止させる必要がなく、遊技者による遊技媒体の貸し出し作業を、遊技中の有無に関係なく、いつでも、自由に行うことができる。また、図柄表示手段41の変動表示中に、遊技媒体の貸し出しのために、使用電力が中間貯留移送手段120よりも大きな貯留払い出し手段65を作動させる必要がないため、使用電力の変動幅を小さなものにすることができ、電力の安定供給が可能となる。
【００９０】
また、図柄表示手段41の変動表示中、遊技媒体の貸し出しを行う場合、貯留払い出し手段65を使用せずに、中間貯留移送手段120で貸し出しすることができる。このため、図柄表示手段41及び貯留払い出し手段65の両方が作動中に、貯留払い出し手段65の作動を異物混入等で不正作動を発生させて、図柄表示手段41への作動に影響を及ぼさせるような不正行為の発生を抑えることができる。
本遊技機10は、遊技媒体を貯留しておく手段として、中間貯留移送手段120と、貯留払い出し手段65との二つを備えている。このため、中間貯留移送手段120には、投入された遊技媒体を貸し出し用の遊技媒体として優先的に貯留させることができる。そして、予め大量に貯留しておかなければならない遊技媒体は、中間貯留移送手段120よりも大量貯留が可能な貯留払い出し手段65の方に貯留することができる。このため、遊技者により、媒体投入口18から投入された遊技媒体は、中間貯留移送手段120に貯留されて、遊技者へ遊技媒体を貸し出す場合には、かかる中間貯留移送手段120の遊技媒体から、遊技者へ貸し出すことができる。これにより、他の遊技ホールの遊技媒体や、非合法的に作られた不正な遊技媒体を投入することができても、かかる遊技者が投入した遊技媒体が再び貸し出されるので、他の遊技ホールの遊技媒体や、不正な遊技媒体等の非合法な遊技媒体の発見を容易にすることができて、かかる不正行為の発生を抑制することができる。
【００９１】
本形態では、中間貯留移送手段120の最大貯留数（具体的には１００枚）を、最大クレジット数（具体的には５０枚）以上に設定している。このため、中間貯留移送手段120に最大限度まで遊技媒体を貯留しておけば、最大クレジット数の遊技媒体の貸し出しを、中間貯留移送手段120から１回の遊技媒体の貸し出し請求により、行うことが可能となり、便利である。
具体的に説明すると、普通、遊技者が遊技媒体の貸し出しを行う場合は、遊技機10内部の遊技媒体のクレジットがなくなり、更に、手持ちの遊技媒体が無くなったときである。そして、最大クレジット数（５０枚）以上の遊技媒体の貸し出し請求を行っても、その遊技媒体は、遊技機内部にクレジットすることができず、遊技媒体として、手元に置いておかなければならない。したがって、通常、遊技者は、クレジットや、手元の遊技媒体が無くなったときに、クレジット可能な最大数である最大クレジット数の遊技媒体の貸し出し請求を行う。このため、貸し出し請求に使用される中間貯留移送手段120の最大貯留数を、最大クレジット数以上に設定してあれば、最大クレジット数の遊技媒体の貸し出しを、中間貯留移送手段120から１回の遊技媒体の貸し出し請求で行うことができ、遊技者の希望を満足させることができる。
【００９２】
そして、前記媒体貸出制御手段150は、前記中間貯留移送手段120に貯留している遊技媒体数以上の貸し出し請求に対して、前記貯留払い出し手段65から貸し出すように制御する。これにより、中間貯留移送手段120に貯留している遊技媒体数以上の貸し出し請求に対しても、対応することができる。
本形態に係る遊技機10は、その内部に遊技メダルがクレジットされているときに遊技媒体の精算を行うと、貯留払い出し手段65に貯留されている遊技媒体を払い出すように設定されている。このため、遊技媒体の精算により、中間貯留移送手段120に貯留されている遊技媒体が、精算の度に排出され、中間貯留移送手段120が空っぽになってしまうのを回避することができる。したがって、貯留払い出し手段65が空っぽになって、その都度、外部から遊技媒体を補填する必要がなく、便利である。
【００９３】
具体的には、遊技ホールの管理者等により、毎日の遊技ホールの開店時までに、中間貯留移送手段120に最大クレジット数（５０枚）以上の遊技媒体をセットしておけば、以下の（１）から（３）までの遊技媒体の循環を、繰り返し、滞りなく連続させることができる。
（１）遊技者が、最大クレジット数の遊技媒体の貸し出しを行う。
（２）遊技者により貸し出した遊技媒体を媒体投入口18へ投入して遊技が行われる。
（３）その結果、遊技開始の条件として媒体投入口18から投入された遊技媒体が、中間貯留移送手段120へ貯留される。
【００９４】
すなわち、遊技媒体の精算が、中間貯留移送手段120に貯留されている遊技媒体から行われると、上述した（１）から（３）までの遊技媒体の循環が繰り返し行われることなく、途中でストップしてしまう。これを回避することができる。
【図面の簡単な説明】
【００９５】
【図１】本発明の形態であって、遊技機の入力、制御及び出力を示すブロック図である。
【図２】本発明の形態であって、当選抽選手段を示すブロック図である。
【図３】本発明の形態であって、遊技機を示す外観正面図である。
【図４】本発明の形態であって、媒体投入口、媒体セレクター、中間貯留移送手段及び貯留払い出し手段を示す概略図である。
【図５】本発明の形態であって、中間貯留移送手段の下部を示す横断面図である。
【図６】本発明の形態であって、中間貯留移送手段の他の例を示す概略図である。
【図７】本発明の形態であって、貸し出し処理を示すフローである。
【図８】本発明の形態であって、遊技機の遊技の動作の概略を示すフローである。
【図９】本発明の形態であって、ベット操作処理を示すフローである。
【図１０】本発明の形態であって、メダル投入処理を示すフローである。
【図１１】本発明の形態であって、当選抽選処理を示すフローである。
【図１２】本発明の形態であって、回転リールの回転停止処理を示すフローである。
【符号の説明】
【００９６】
10  遊技機                              11  筐体
12  表示窓                              13  図柄表示窓
14  前扉                                15  投入スイッチ
16  ベットスイッチ                      17  精算スイッチ
18  媒体投入口                          19  下皿
20  制御装置                            21  遊技制御装置
22  演出制御装置                        23  主基板
24  サブ基板                            25  演出データ記憶手段
26  演出制御手段                        27  遊技制御手段
30  スタートスイッチ                    31  変動開始操作手段
40  回転リール                          41  図柄表示手段
42  リールテープ                        43  左側回転リール
44  中央回転リール                      45  右側回転リール
50  ストップスイッチ                    51  変動停止操作手段
60  リールユニット                      61  図柄
62  モータードライバ                    63  駆動モーター
64  ステッピングモーター                65  貯留払い出し手段
66  報知手段                            67  スピーカー
68  表示装置                            69  報知ランプ
110  当選抽選手段                      111  当選乱数発生手段
112  当選乱数抽出手段                  113  当選判定テーブル記憶手段
114  当選判定手段                      120  中間貯留移送手段
130  中間貯留数検知手段                140  振り分け手段
150  媒体貸出制御手段                  160  カード差し込み口
161  カード読み書き手段                162  貸出数請求入力手段
163  テンキー                          164  貸出数表示部
170  振り分け制御手段                  181  １枚ベットスイッチ
182  ３枚ベットスイッチ                210  媒体セレクター
211  メダルセンサ                      212  メダル通路
213  メダル受け口                      214  メダル排出口
215  ブロッカー装置                    220  貯留庫
221  貯留部センサ                      222  投入センサ
223  外部排出センサ                    224  ホッパー排出センサ
225  貸し出し側排出部                  226  ピン
227  ストッパー                        228  ローラ
229  ベルト                            230  メダル送り装置
231  駆動モーター                      232  ホッパー側排出部
233  中間送り出し円板                  234  円筒基材
235  円板包囲基材                      248  下皿メダル排出口
250  移送通路                          251  中間通路
252  ホッパー通路
【図１】
2007061324.tif 000003
【図２】
2007061324.tif 000004
【図３】
2007061324.tif 000005
【図４】
2007061324.tif 000006
【図５】
2007061324.tif 000007
【図６】
2007061324.tif 000008
【図７】
2007061324.tif 000009
【図８】
2007061324.tif 000010
【図９】
2007061324.tif 000011
【図１０】
2007061324.tif 000012
【図１１】
2007061324.tif 000013
【図１２】
2007061324.tif 000014